(57)【要約】  呼吸マスクは、顔係合部分を有するマスク本体と、マスク本体に接続された少なくとも１つの保持部材であって、ライナを受容し、かつ、呼吸マスクにライナをつないで顔係合部分を全体的に覆う少なくとも１つの係合部材を含む少なくとも１つの保持部材と、を含む。保持部材は、中央部分と、対向する端部と、呼吸マスクに取り付けられるように配置された底面と、を有する可撓性の細長い本体を含んでもよい。ライナは、吸収性材料から構築され、かつ、外縁、内縁及び内縁によって境界を定められた開口部を有するライナ本体を含んでもよく、顔係合部分を越えて外側に延びるライナ本体の延在部分が規定され、延在部分は、保持部材に係合する少なくとも１つのアパーチャを含む。呼吸マスクと共に使用するためのキットは、少なくとも１つのライナと、少なくとも１つの保持部材と、を含む。【選択図】図８
2021519199.tif 000002
【特許請求の範囲】
【請求項１】
呼吸マスクであって、
顔係合部分を有するマスク本体と、
前記マスク本体に接続された少なくとも１つの保持部材であって、ライナを受容し、かつ、前記呼吸マスクに前記ライナをつないで前記顔係合部分を全体的に覆う少なくとも１つの係合部材を含む少なくとも１つの保持部材と、を備える呼吸マスク。
【請求項２】
前記少なくとも１つの保持部材が、前記マスク本体に取り外し可能に取り付けられる、請求項１に記載の呼吸マスク。
【請求項３】
前記少なくとも１つの保持部材が、前記マスク本体に一体的に形成される、請求項１に記載の呼吸マスク。
【請求項４】
前記少なくとも１つの保持部材が、可撓性の細長い本体を含む、請求項１に記載の呼吸マスク。
【請求項５】
前記少なくとも１つの係合部材がフックを含む、請求項１に記載の呼吸マスク。
【請求項６】
前記少なくとも１つの係合部材がクリップを含む、請求項１に記載の呼吸マスク。
【請求項７】
呼吸マスクと共に使用するための保持部材であって、
中央部分と、前記中央部分の両側に対向する端部と、を有する可撓性の細長い本体であって、前記本体は、前記呼吸マスクに取り付けられるように配置された底面を有する、可撓性の細長い本体と、
ライナを受容し、かつ、前記呼吸マスクに前記ライナをつなぐための、前記本体から延在する少なくとも１つの係合部材と、を備える保持部材。
【請求項８】
前記少なくとも１つの係合部材が少なくとも１つのフックを含む、請求項７に記載の保持部材。
【請求項９】
前記少なくとも１つの係合部材は少なくとも１つのクリップを含む、請求項７に記載の保持部材。
【請求項１０】
前記少なくとも１つの係合部材が、前記本体の各端部に設けられた係合部材を含む、請求項７に記載の保持部材。
【請求項１１】
前記中央部分は、対向する前記端部よりも幅が狭い、請求項７に記載の保持部材。
【請求項１２】
前記中央部分は、前記本体の中心を識別するためのマーカを含む、請求項７に記載の保持部材。
【請求項１３】
顔係合部分及び保持部材を有する呼吸マスクと共に使用するためのライナであって、
吸収性材料から構築され、かつ、外縁、内縁及び前記内縁によって境界を定められた開口部を有するライナ本体であって、前記ライナが前記顔係合部分とユーザの顔との間に配置されると、前記顔係合部分を越えて外側に延在する前記ライナ本体の延在部分が規定され、前記延在部分は、前記呼吸マスクに前記ライナをつなぐために前記保持部材に係合する少なくとも１つのアパーチャを含む、ライナ本体と、を備えるライナ。
【請求項１４】
前記少なくとも１つのアパーチャが、前記ライナの第１端部に隣接する前記延在部分に第１対の離間したアパーチャを含む、請求項１３に記載のライナ。
【請求項１５】
前記少なくとも１つのアパーチャが、前記ライナの第１端部に隣接する前記延在部分の第１対の離間したアパーチャと、前記ライナの第２端部に隣接する前記延在部分の第２対の離間したアパーチャと、を含む、請求項１３に記載のライナ。
【請求項１６】
前記延在部分は、前記ライナ本体の前記外縁から外側に延在する少なくとも１つのタブを含み、前記少なくとも１つのアパーチャは前記少なくとも１つのタブに設けられる、請求項１３に記載のライナ。
【請求項１７】
前記ライナ本体は、その一端部にノッチを含む、請求項１３に記載のライナ。
【請求項１８】
呼吸マスクと共に使用するためのキットであって、
吸収性材料から構築されたライナ本体を含む少なくとも１つのライナであって、外縁、内縁及び前記内縁によって境界を定められた開口部を有するライナと、
前記呼吸マスクに接続されるように配置された少なくとも１つの保持部材であって、前記ライナを受容し、かつ、前記呼吸マスクに前記ライナをつなぐための少なくとも１つの係合部材を含む少なくとも１つの保持部材と、を備えるキット。
【請求項１９】
前記少なくとも１つの係合部材がフックを含み、前記ライナ本体が、前記フックによって受け入れられるように配置された少なくとも１つのアパーチャを含む、請求項１８に記載のキット。
【請求項２０】
前記少なくとも１つの係合部材がクリップを含む、請求項１８に記載のキット。
【発明の詳細な説明】
【技術分野】
【０００１】
関連出願の相互参照
[0001]  本願は、２０１８年３月２７日出願の米国仮出願第６２／６４８，８９５号の利益を主張し、その開示は参照によりその全体が本明細書に組み込まれる。
【０００２】
[0002]  実施形態は、呼吸マスク、呼吸マスクと共に使用するための保持部材及びライナ、並びにそれらの組み合わせに関する。
【背景技術】
【０００３】
[0003]  レスピレータは、化学物質や粒子状物質などの危険な物質を吸入しないようにユーザを保護するために使用される。レスピレータは通常、ユーザの鼻及び口を覆うためのマスク本体と、ユーザが吸入した空気から危険な物質を除去するためのフィルタを含む１以上のカートリッジ又はキャニスタと、を含む。現在入手可能なほとんどのレスピレータマスクは、シリコーン、ゴム、ビニール又はナイロン系の生地から作られている。これらの材料は通常、水やガスを透過させず、それによって、毛穴を塞いだり、発汗を引き起こしたり、顔に圧迫痕を形成したりして、ユーザに不快感を与える。多くのユーザは、毎日かなりの時間にわたってレスピレータを着用するので、人間工学に基づいたマスクであって、長時間の着用や高温多湿などの極端な環境でも身体に負担をかけないマスクを必要としている。
【０００４】
[0004]  閉塞性睡眠時無呼吸は、睡眠中に人の気道が物理的に何度も閉塞し、酸素摂取量が制限され、息を切らして目が覚める原因となる深刻で潜在的に致命的な医学的状態である。その状態の考えられる影響には、極度の疲労、高血圧、脳卒中、心臓発作、及び時には死さえが含まれる。閉塞性睡眠時無呼吸の最も一般的な治療法の１つは、持続的気道陽圧（ＣＰＡＰ）機械の使用である。これらの機械は、顔に装着されたホース及びマスクを通じて、加圧空気の継続的な流れを気道に送る。しかしながら、不快感、空気の漏れ及び概して効果がないことに起因して、患者の承諾がＣＰＡＰユーザにとって大きな問題である。ユーザの最大５０％が使用を中止するものと推定されている。
【０００５】
[0005]  レスピレータと同様に、現在入手可能なほとんどのＣＰＡＰマスクは、シリコーン、ゴム、ビニール又はナイロン系の生地から作られている。これらの材料は通常、水やガスを透過させず、それによって、毛穴を塞いだり、発汗を引き起こしたり、顔に圧迫痕を形成したりして、マスクの不快感を高める。さらに、ほとんどのマスクメーカーは、マスク材料が直接皮膚に接触するように、ＣＰＡＰマスクと共にスキンクリーム又はフェイスクリームを使用しないことを推奨している。これは多くのユーザ、特に乾燥肌を有し、スキンケアのためにナイトクリームに依存しているユーザにとって問題である。
【発明の概要】
【０００６】
[0006]  １以上の実施形態では、呼吸マスクは、顔係合部分を有するマスク本体を含む。少なくとも１つの保持部材がマスク本体に接続され、少なくとも１つの保持部材は、ライナを受容し、かつ、呼吸マスクにライナをつないで顔係合部分を全体的に覆う少なくとも１つの係合部材を含む。
【０００７】
[0007]  １以上の実施形態では、呼吸マスクと共に使用するための保持部材は、中央部分と、中央部分の両側で対向する端部と、を有する可撓性の細長い本体を含み、本体は、呼吸マスクに取り付けられるように配置された底面を有する。少なくとも１つの係合部材は、ライナを受容し、かつ、呼吸マスクにライナをつなぐために本体から延在する。
【０００８】
[0008]  １以上の実施形態では、顔係合部分及び保持部材を有する呼吸マスクと共に使用するためのライナは、吸収性材料から構築されたライナ本体を含み、ライナ本体は、外縁、内縁、及び内縁によって境界を定められた開口部を有する。ライナが顔係合部分とユーザの顔との間に配置されると、顔係合部分を越えて外側に延在するライナ本体の延在部分が規定され、延在部分は、保持部材に係合して呼吸マスクにライナをつなぐための少なくとも１つのアパーチャを含む。
【０００９】
[0009]  １以上の実施形態では、呼吸マスクと共に使用するためのキットは、吸収性材料から構築されたライナ本体を含む少なくとも１つのライナを含み、ライナ本体は、外縁、内縁及び内縁によって境界を定められた開口部を有する。キットはさらに、呼吸マスクに接続されるように配置された少なくとも１つの保持部材を含み、少なくとも１つの保持部材は、ライナを受容し、かつ、呼吸マスクにライナをつなぐための少なくとも１つの係合部材を含む。
【図面の簡単な説明】
【００１０】
【図１】図１は、例えば呼吸マスクと共に使用するための一実施形態に係るライナの上面図である。
【図２】図２は、別の実施形態に係るライナの上面図である。
【図３】図３は、さらに別の実施形態に係るライナの上面図である。
【図４】図４は、一実施形態に係る保持部材の斜視図である。
【図５】図５は、保持部材の上面図である。
【図６】図６は、レスピレータの上側に接続された保持部材の上面斜視図である。
【図７】図７は、レスピレータの上側に接続された保持部材の背面図である。
【図８】図８は、レスピレータの上側に接続された保持部材の正面斜視図である。
【図９】図９は、レスピレータに接続された保持部材の側面図である。
【図１０】図１０は、レスピレータに保持されたライナを示す。
【図１１】図１１は、レスピレータの上側の保持部材のフックによって係合させられたライナの上面図である。
【図１２】図１２は、レスピレータの下側の保持部材のフックによって係合させられたライナの底面図である。
【図１３】図１３は、ＣＰＡＰマスクの保持部材の上面斜視図である。
【図１４】図１４は、酸素マスクの保持部材の斜視図である。
【図１５】図１５は、別の実施形態に係る保持部材の斜視図である。
【発明を実施するための形態】
【００１１】
[0025]  必要に応じて、本発明の詳細な実施形態が本明細書で開示される。しかしながら、開示された実施形態は、様々な代替の形態で実施され得る本発明の単なる例示であることを理解されたい。図は必ずしも縮尺どおりではなく、一部の特徴は、特定の構成要素の詳細を示すために誇張又は最小化され得る。したがって、本明細書で開示される特定の構造的及び機能的な詳細は、限定するものとして解釈されるべきではなく、本発明を様々に採用することを当業者に教示するための単なる典型的な基礎として解釈される。
【００１２】
[0026]  本明細書で開示される実施形態は、呼吸マスクの快適性、有効性及び／又はユーザの承諾を改善することができる、呼吸マスク及び呼吸マスクと共に使用するためのアクセサリを提供する。
【００１３】
[0027]  図１〜図３を参照すると、レスピレータ１００（図６〜図１２参照）などの呼吸マスクと共に使用するためのライナが図示されており、全体として参照番号１０で示されている。使用中、ライナ１０は、例えば、湿気を吸収し、呼吸マスクの適切な位置決めを維持し、かつ、呼吸マスクとユーザの顔との間の空気の漏れを大幅に低減又は排除するために、呼吸マスクとユーザの顔との間に位置決めされ得る。ライナ１０は、本明細書では主に、レスピレータ１００との使用に関連して説明されるが、ライナ１０がレスピレータとの使用に限定されないこと、及び、本明細書で提供される説明が、ＣＰＡＰマスク２００（図１３参照）又は酸素マスク３００（図１４参照）などであるがこれらに限定されない呼吸マスクの他のタイプのライナ１０の使用に等しく適用可能であることが理解される。
【００１４】
[0028]  一実施形態では、ライナ１０は、外縁１４、内縁１６及び内縁１６によって境界を定められた開口部１８を有するライナ本体１２を含む。ライナ本体１２は、概して小判胴形、楕円形、円形又は三角形であってもよく、又は、呼吸マスクとの使用に適切な任意の他の形状を有しもよいが、本明細書に描写される形状に限定されない。開口部１８は、呼吸マスクのタイプに応じて、鼻、口、又は鼻と口との両方を少なくとも部分的に受け入れるように設計されている。開口部１８は、示されるような概して楕円形又は小判胴形であり得るが、これらの形状に限定されることは意図されない。
【００１５】
[0029]  ここで図４及び図５を参照すると、保持部材５０は、呼吸マスクに接続され、ライナ１０を受容及び係合するために設けられることができ、ライナ１０が呼吸マスクにつながれて呼吸マスクに対して所望の位置に保持されることを可能にする。保持部材５０は本体を含み、本体は、一実施形態では、中央部分５４と、中央部分５４の両側で対向する端部５６と、を有する細長い本体５２であってよい。保持部材５０は、少なくとも１つの係合部材をさらに含み、係合部材は、一実施形態では、近位端６２及び遠位端６４を有するポスト又はフック６０を含んでもよく、１つのフック６０が、本体５２の各端部５６又はその近くに設けられてもよい。保持部材５０及び含まれるフック６０は、プラスチック又はゴム材料などの任意の適切な可撓性及び耐久性を有する材料から構築されてもよい。保持部材５０及びフック６０の弾性は、細長い本体５２を呼吸マスクに適合させ、ライナ１０を係合及び保持し、かつ、呼吸マスクの使用中に保持部材５０に外力が加えられた場合に保持部材５０の損傷を防止するのに有利であり得る。示されるように、本体５２の中央部分５４は、端部５６よりも幅が狭くてもよく、これにより、保持部材５０の可撓性も促進され得る。中央部分５４は、呼吸マスク上での整列及び対称的な配置を容易にするために、本体５２の中心を識別するマーカ６６を含んでもよい。本明細書では細長い本体５２が示されているが、本体５２はこの構成に限定されず、本体５２は代替的に、そこから延在する１以上の係合部材を有する他の形状を有し得ると考えられる。
【００１６】
[0030]  一実施形態では、各フック６０は、その近位端６２で本体５２から上向きに延在し、その後、本体５２に対して外側又は横方向に延在して遠位端６４で終端し、遠位端６４は、本体５２を越えて延在してもよい。フック６０は、丸い遠位端６４を有してもよく、近位端６２と比較してより幅が狭い遠位端６４を有してもよく、これらの両方は、保持部材５０上でのライナ１０の受容及び保持を容易にし得る。もちろん、保持部材５０及びフック６０は、本明細書に示されて説明される構成に限定されない。例えば、２つの離間したフック６０に代えて、１つのみのフック又は３以上のフックが設けられ得ると考えられる。さらに、ポスト又はフック６０は、本体５２から上向きに延在し、かつ、遠位端６４と比較してより幅が狭い近位端６２を有するなど、異なる構成を有してもよい。代替的に、保持部材５０は、図１５に示されるような例えばクリップ６８（例えば、ヒンジ式、バネ式、わに口など）ほかなどの別のタイプの係合部材を一緒に含んでもよい。
【００１７】
[0031]  図１及び図２に示されるように、ライナ１０は、呼吸マスクにライナ１０をつないでライナ１０の所望の位置を保持するために、フック６０によって受容されるサイズを有する１以上のアパーチャを有してもよい。図示の実施形態では、第１又は上部の対の離間したアパーチャ７０は、ライナ１０の第１端部７２に隣接してもよく、第２又は下部の対の離間したアパーチャ７４は、ライナ１０の第２端部７６に隣接してもよい。第１及び第２の対のアパーチャ７０、７４は、示されるような概して円形又は小判胴形であってもよいが、これらの形状に限定されることは意図されない。アパーチャ７０、７４の構成は、フック６０及び保持部材５０の構成に対応するように設計されることができる。したがって、ライナ１０の各端部７２、７６に１対のアパーチャ７０、７４が示されているが、ライナ１０はこの実施形態に限定されない。代替的に、例えば、アパーチャは、ライナ１０の一方の端部７２、７６のみに設けられてもよく、若しくは、単一のアパーチャ又は３以上のアパーチャが、一方の端部又は両方の端部７２、７６に、若しくは、ライナ１０の他の部分に設けられてもよい。
【００１８】
[0032]  図６〜図９を参照すると、保持部材５０は、前側１０４、後側１０６、上側１０８及び下側１１０を有するマスク本体１０２を有する、レスピレータ１００などの呼吸マスクに接続されてもよい。示されるように、一実施形態では、フック６０は、前側１０４の顔係合部分１１２から離れて、呼吸マスクの後側１０６に向かって配向されてもよい。保持部材５０は、保持部材５０の底面６９をマスク本体１０２に接合するために、接着剤又はフックアンドループ材料などの任意の方法によって呼吸マスクに取り付けられることができる。保持部材５０は、必要に応じて再び位置決め又は取り外されることができるように、マスク本体１０２に取り外し可能に取り付けられることができる。代替的に、保持部材５０は、射出成形などによる製造中にマスク本体１０２に一体的に形成されることができる。別の実施形態では、レスピレータ１００、ＣＰＡＰマスク２００、酸素マスク３００又は他の呼吸マスクを後付けする際に使用するために１以上のライナ１０及び保持部材５０を含むキットが提供されることができる。
【００１９】
[0033]  図１０〜図１２は、１以上の保持部材５０を介してレスピレータ１００につながれたライナ１０を示す。図１０は、開口部１８と顔係合部分１１２との整列を示しており、保持部材５０は、ライナ１０に係合してライナ１０を適切に整列させて顔係合部分１１２の全体を覆う配置でマスク本体１０２上に位置決めされることができる。図１１は、レスピレータ１００の上側１０８の保持部材５０との第１対のアパーチャ７０の係合を示しており、図１２は、ライナ１０がレスピレータ１００に対して所望の位置に保持されるように、レスピレータ１００の下側１１０上の保持部材５０と第２対のアパーチャ７４との係合を示している。保持部材５０は、マスク本体１０２の上側１０８及び下側１１０に位置決めされて示されているが、保持部材５０は、呼吸マスク及びライナ１０の異なる部分に形成された対応のアパーチャの側面領域又は他の領域に追加的に又は代替的に位置決めされ得ることが理解される。
【００２０】
[0034]  図６〜図１２を参照して上述したレスピレータ１００の特徴は、図１３に示すＣＰＡＰマスク２００及び図１４に示す酸素マスク３００に適用可能であってもよく、レスピレータ１００について説明された呼吸マスクの特徴には、ＣＰＡＰマスク２００については頭の数字を「２」で置き換え、酸素マスク３００については頭の数字を「３」で置き換えた同様の参照符号が付される。
【００２１】
[0035]  ライナ１０の外縁１４は、呼吸マスク１００、２００、３００の顔係合部分１１２、２１２、３１２（例えば、図８及び図１３〜図１４参照）の一般的な形状に合わせて拡大縮小された形状を有してもよい。図１０に最もよく示されるように、連続的又は不連続的であり得るライナ外縁１４の周囲は、顔係合部分１１２の周囲よりも大きく、外縁１４は、顔係合部分１１２の周囲の少なくとも一部周りで顔係合部分１１２を越えて外側に延在する。このように、ライナ本体１２は、図１及び図３に破線で例示的に示すように、ライナ１０が呼吸マスクにつながれたときに顔係合部分１１２の周囲の内側に配置される第１部分２０と、ライナ１０が呼吸マスクにつながれたときに自由に延在可能な方法で顔係合部分１１２の周囲の外側に配置される第２延在部分２２と、を有する。概して、延在部分２２の面積は、ライナ本体１２の面積の少なくとも約５％、１０％又は１５％を構成することができるが、延在部分２２によって表されるより大きな割合の面積も考えられる。
【００２２】
[0036]  ライナ１０が呼吸マスク１００、２００、３００上の保持部材５０によって係合されると、ユーザは、彼／彼女の鼻及び／又は口（該当する場合）を開口部１８内に収め、ストラップなどを用いて呼吸マスクを彼／彼女の頭に呼吸マスクを固定することができる。呼吸マスクを固定すると、ライナ１０が顔係合部分１１２、２１２、３１２とユーザの顔との間に解放可能に保持され、ライナ１０が、空気流を調整し、かつ、顔係合部分とユーザの顔との間の空気の漏れを低減し得る。ライナ１０は、呼吸マスクが固定されている間に突出する延在部分２２を外側に引っ張ることにより、必要に応じて、例えば鼻や口の周りで調整されることができ、それにより特定のユーザにカスタマイズされたフィット感を提供する。ライナ１０は、保持部材５０とユーザの顔に対する呼吸マスクの圧力とによって所定の位置に保持され、ライナ１０は、呼吸マスクが取り外されると、容易に取り外し可能及び交換可能である。外縁１４及び延在部分２２は、顔係合部分１１２、２１２、３１２から外側に延在して、概して、ユーザの顔の輪郭に従うことができる。ライナ１０の外縁１４は、顔係合部分を越えて緩く突出し、その結果、延在部分２２は、ユーザの顔と非接着性かつ非密閉性の接続状態にあり得る。このようにして、ライナ１０及びその延在部分２２は、呼吸マスクと皮膚との間の空気流を調節、制限又は拡散するバッフルとして作用することにより、顔係合部分の周囲からの空気の漏れを低減するのに役立ち得る。
【００２３】
[0037]  使用中、ユーザが一時的に呼吸マスクを取り外す必要がある場合がある。例えば、ユーザは、同僚と会話したり、飲んだり食べたり、又は仕事中に休憩をとる場合などの特定の場合にはレスピレータ１００を取り外すことを望む場合がある。ＣＰＡＰユーザは、夜間にトイレを使用したり、又は、水を飲んだりするなど、使用中に彼／彼女のＣＰＡＰマスク２００を取り外したいと望む場合がある。病院又は家庭の設定では、ユーザは、飲食や薬の服用など、一時的に酸素マスク３００を取り外す必要がある場合がある。本明細書に開示された実施形態によれば、ユーザが呼吸マスクを取り外すと、ライナ１０は、保持部材５０によって呼吸マスク上の定位置に保持される。したがって、ユーザが何らかの理由で呼吸マスクを取り外す必要がある場合、ユーザは、彼／彼女が呼吸マスクを再び装着するときに、ライナ１０を再び位置決め又は交換する必要がない。ユーザがライナ１０の交換を望む場合、ライナ１０は、使い捨てであり、かつ、保持部材５０から容易に取り外され、廃棄され、その後に別のライナ１０に交換されることができる。有利には、ライナ１０の使用は、マスク材料との直接の皮膚の接触を防止し、呼吸マスクを頻繁に洗浄する必要性を低減する。
【００２４】
[0038]  アパーチャ７０、７４は、ライナ１０の延在部分２２に設けられてもよいので、アパーチャ７０、７４は、ライナ１０の機能、又は、顔係合部分１０４、２０４、３０４とのそのインターフェースを変更しない。したがって、本明細書に記載のライナ１０は、保持部材５０が呼吸マスクに関連付けられているか否かにかかわらず、又は、ライナ１０と保持部材５０との係合が利用されているか否かにかかわらず、呼吸マスクと共に使用されることができる。アパーチャ７０、７４は、ライナ１０の全体的な設置面積を増大させず、かつ、補助取り付け部材を用いてライナ１０を製造することを必要としない。しかしながら、延在部分２２にアパーチャ７０、７４をライナの外縁１４から内側に設定する代わりに又はそれに加えて、延在部分２２が、ライナの外縁１４から外側に延在するループ又はタブ８０を含んでもよく、かつ、図３に示すようなアパーチャ７０、７４を含み得る代替の実施形態も考えられる。さらに、そのようなタブ／ループ８０又はライナ１０の他の部分は、ライナ１０を呼吸マスクの一部に取り外し可能に取り付けるための接着剤を含み得る。係合部材がフック６０の代わりにクリップタイプの構造を含む一実施形態では、アパーチャ７０、７２を有しないライナ１０が利用されることができる。
【００２５】
[0039]  一実施形態によれば、ライナ本体１２は、吸収性材料の単一層から構築されてもよく、ライナ本体１２の厚さは、約０．００５〜０．０５インチであってもよいが、これらの寸法は限定することを意図するものではない。一実施形態では、材料は綿を含んでもよい。別の実施形態では、材料は、その中に綿が埋め込まれたシリコーンなどの別の材料を含んでもよい。しかしながら、適切な吸収性及び快適性を有する任意の材料が使用され得ることが理解される。さらなる実施形態によれば、ライナ本体１２の構築に使用される材料は、上述のように特定のユーザへのライナ１０の適合を調整及びカスタマイズするのを助けるために伸縮可能であってもよい。ライナ１０はまた、ユーザの鼻領域に対応するために、その一端７２に切り欠き７８又はくぼみ部分を含んでもよく、ライナ１０が呼吸マスク上の所定の位置に保持される場合、ユーザに対してより遮られない視線を提供し得る。
【００２６】
[0040]  銅は、人間の栄養に有益な天然鉱物である。銅は、抗菌性及び潜在的な創傷治癒特性を提供することも知られている。一実施形態では、本明細書に記載されるライナは、銅又は銅酸化物材料、例えばキュプロン（登録商標）などで製造されてもよい。
【００２７】
[0041]  空気の含水量、（マスク材料との接触によるなどの）顔発汗、及び皮膚からの油により、呼吸マスク１００、２００、３００は、ユーザの顔で滑り、したがって、空気を漏らす可能性がある。ライナ１０の吸収性材料は、ユーザの皮膚から水分及び／又は油分を吸収し、それを顔及び顔係合部分１１２、２１２、３１２から吸い上げるように機能し、呼吸マスクが使用時のユーザの顔に対して一貫して快適な位置を維持することができるようにする。その結果、ユーザの皮膚に対する顔係合部分の適切な位置決めが維持され、それにより、空気の漏れを排除又は大幅に減少させ、ユーザが呼吸マスクをより快適に着用する能力を促進する。
【００２８】
[0042]  ライナ１０の単層構造は、ユーザの顔の上のある種の「第２の皮膚」として機能し得る。このように、ライナ１０は、ユーザの顔からの顔係合部分１１２、２１２、３１２の距離をさほど変化させないので、呼吸マスク１００、２００、３００の所定の適合を損なうことなくその機能を提供することができる。ライナ１０の使用により、ユーザの顔の顔係合部分からの圧迫痕も低減又は排除することができる。さらに、皮膚とマスク材料との直接の接触が回避されるので、吸収性のライナ材料は、呼吸マスクを着用しながらフェイシャルクリームを利用することを可能にする。
【００２９】
[0043]  呼吸マスクは、顔全体、鼻、子供サイズ及び部分顔（ハイブリッド）構成など、様々な形状及びサイズで提供される。顔全体のマスクは通常、口の領域を覆うためのより広い下部領域と、鼻の領域を覆うためのより狭い上部領域と、を含む。鼻マスクは、口領域ではなく鼻領域を全体的に覆う。子供サイズのマスクは、それに比例してより小さいサイズを有する場合がある。部分顔（ハイブリッド）マスクは、全体的に口を覆い、かつ、鼻の境界面を含む場合がある。したがって、ライナ１０の外縁１４は、選択された呼吸マスクの顔係合部分の全体的な形状と同様の形状を有することができ、外縁１４の形状は、顔係合部分の全体的な形状のスケーリングされたバージョンを表し得ると考えられる。
【００３０】
[0044]  本明細書に開示されるライナ１０及び保持部材５０は、呼吸マスクの良好な適合に貢献し、ユーザに快適さを提供し、湿気を排除し、かつ、空気の漏れを低減又は排除することにより、ユーザにとってより快適で効果的なマスク着用体験を促進し得る。さらに、保持部材５０を介して呼吸マスクにライナ１０をつなぐことにより、一時的に呼吸マスクを取り外し、その後、ライナ１０を再び位置決め又は交換する必要なく、その後にマスクを固定することが容易になる。
【００３１】
[0045]  例示的な実施形態を上述したが、これらの実施形態が本発明のすべての可能な形態を説明することは意図されていない。むしろ、本明細書で使用される用語は、限定ではなく説明の用語であり、本発明の精神及び範囲から逸脱することなく、様々な変更が行われ得ることが理解される。さらに、様々な実施形態の特徴を組み合わせて、本発明のさらなる実施形態を形成することができる。
【図１】
2021519199.tif 000003
【図２】
2021519199.tif 000004
【図３】
2021519199.tif 000005
【図４】
2021519199.tif 000006
【図５】
2021519199.tif 000007
【図６】
2021519199.tif 000008
【図７】
2021519199.tif 000009
【図８】
2021519199.tif 000010
【図９】
2021519199.tif 000011
【図１０】
2021519199.tif 000012
【図１１】
2021519199.tif 000013
【図１２】
2021519199.tif 000014
【図１３】
2021519199.tif 000015
【図１４】
2021519199.tif 000016
【図１５】
2021519199.tif 000017
【国際調査報告】
2021519199.tif 000018
2021519199.tif 000019
2021519199.tif 000020